(57)【特許請求の範囲】
【請求項１】
シロアリの卵の形状と大きさを模した基材にシロアリの卵認識物質を含有せしめて成る擬似卵をシロアリに与えて、卵運搬行動を利用して巣内に運搬させる方法。
【請求項２】
請求項１に記載の方法において、上記擬似卵に活性化合物を含有せしめ、シロアリの駆除のために使用する方法。
【請求項３】
シロアリ共生菌核菌が形成する菌核をシロアリに与えて、卵運搬行動を利用して巣内に運搬させる方法。
【請求項４】
上記シロアリ共生菌核菌がヤマトシロアリ（Ｒｅｔｉｃｕｌｉｔｅｒｍｅｓｓｐｅｒａｔｕｓ Ｋｏｌｂｅ）の巣内に共生し、直径０．２〜０．６ｍｍの菌核（ｓｃｌｅｒｏｔｉａ）を形成するアセリア（Ａｔｈｅｒｉａ）属に属する菌核菌であることを特徴とする請求項３に記載の方法。
【請求項５】
請求項３又は４に記載の方法において、上記菌核に活性化合物を含有せしめ、シロアリの駆除のために使用する方法。
【発明の詳細な説明】
【０００１】
【発明の属する技術分野】
本発明はシロアリの巣内に活性化合物を効果的に導入する方法に関するものである。
【０００２】
【従来の技術及び発明が解決しようとする課題】
シロアリの駆除方法としては溶液型薬剤を侵入箇所に注入して殺虫する方法がある。しかし、この方法は一時的な効果しかなく、木材に十分浸透させるためには多量の薬剤を必要とした。さらに、被害部分だけ駆除を行うとシロアリは通路を変更して他の部分に被害を移すことになり、その駆除は一層困難を極める。頻繁に実施されているのは臭化メチルを用いた燻蒸法である。しかし臭化メチルはオゾン層破壊の原因物質であり、近年使用を規制しようとする動きが強まっている。シロアリと同様に社会生活を営むアリの駆除法としては毒物にアリの嗜好物を混入して餌として与え、巣に持ち帰らせて全集団を捕殺する方法がある。しかしシロアリは営巣している木材自体を摂食するため、毒餌剤を用いて巣の外部から巣の内部に薬剤を運搬させる方法は適用できない。
【０００３】
【課題を解決するための手段】
本発明者はシロアリの巣内に効率的に活性化合物を導入する方法について検討した結果、シロアリの卵認識及び卵運搬行動に着目し、卵を模した基材に卵から抽出した卵認識物質を塗布することによって巣内に効率的に運搬させる方法を見出し本発見に至った。シロアリの職蟻は女王が産んだ卵を運搬して山積みにし、卵の表面を舐めるなどして世話をする性質をもつ。なお職蟻はシロアリの卵に似る大きさと形状をもち、表面に卵認識物質を含有する擬似卵を卵として認識し、巣内にある自らの卵塊中に運搬する。この擬似卵に殺虫活性化合物や孵化阻害物質などの活性化合物を含有せしめて卵塊中に運搬させることにより、効率的にコロニーの生殖中枢を破壊することが可能である。また本発明者はヤマトシロアリの卵に擬態した菌核（ｓｃｌｅｒｏｔｉａ）を形成し、卵塊中に共生する新種のアセリア属菌核菌（Ａｔｈｅｒｉａ  ｓｐ．ｎｏｖ．）を発見した。本糸状菌はＰＤＡ（ｐｏｔａｔｏ−ｄｅｘｔｒｏｓｅ  ａｇａｒ）培地上で発育及び菌核形成をさせることが可能であり、培養によって得た菌核に活性化合物及び卵認識物質を含有せしめてシロアリに運搬させることも可能である。
【０００４】
【発明の実施の形態】
シロアリの卵以外の物体をシロアリに卵として認識させ、巣内に運搬させるためには、物体を物理的・化学的に卵に似せることが必要である。本発明においては直径０．３〜０．４５ｍｍの球形をした成形体又は菌核を基材とし、この表面にシロアリの卵認識物質を含有せしめたものを擬似卵として用いる。実際のシロアリの卵は長卵形であり、長卵形の擬似卵を用いてもよいが、成形するに当たっては球形の方が容易である。
【０００５】
シロアリの卵認識物質を基材に含有せしめる方法としては、シロアリの巣から卵塊を採取し、エーテルを溶媒として卵の表面物質を抽出し、これを基材に含浸・塗布する。なおヤマトシロアリの卵から抽出した卵認識物質はイエシロアリに対しても同様の効果をもつ。この擬似卵をシロアリの蟻道内あるいは侵入箇所に注入し、職蟻に運搬させる。一度運搬が開始されると、職蟻が次々に運搬するため効率的に擬似卵を巣の中枢に導入できる。
【０００６】
本発明に用いられる擬似卵を作製するに当たり、基材として好適な材料には様々なものがある。例えば、ポリエチレン、ポリプロピレン、ポリスチレン、ポリエステル、ポリ塩化ビニル、ポリカーボネート等の熱可塑性樹脂、あるいは尿素樹脂、エポキシ樹脂、フェノール樹脂、ポリウレタン等の熱硬化性樹脂のほかにも、シリカゲルなどの多孔質ゲル化剤、ガラス等が挙げられる。これらの素材を直径０．３〜０．４５ｍｍの球形に成形したものを擬似卵の基材とすることができる。またはシロアリ共生菌核菌を人工培養して得られる菌核（ｓｃｌｅｒｏｔｉａ）を基材として用いることもできる。好適な素材はこれらの例に限らないが、素材の比重が卵と著しく異なるものは運搬されない。
【０００７】
本発明に用いられる擬似卵にはその運搬率を損ねない範囲で活性化合物を含有せしめることができる。例としてはピレスロイド化合物、有機リン化合物、カーバメイト化合物、Ｎ−アリールジアゾール化合物、ヒドラゾン化合物、スルホンアミド化合物、天然殺虫成分化合物などの殺虫活性成分のみならず、孵化阻害物質、幼若ホルモン様物質等の昆虫発育制御物質などが挙げられる。擬似卵に活性化合物を含有せしめる方法としては樹脂等に練り込む、あるいは多孔質体に含浸・塗布する等の方法が挙げられる。
【０００８】
【実施例】
次に、本発明の擬似卵の製造例及び試験例を示すが、本発明は以下の例のみに限定されるものではない。
【０００９】
製造例１（菌核を基材にした擬似卵）：ヤマトシロアリの卵６．０重量％にジェチルエーテル９４．０重量％を加え、一分間超音波洗浄した。これを濾過して卵を取り除き、卵表面物質の抽出溶液（１）を得た。ＰＤＡ培地で培養して得たシロアリ共生菌核菌の菌核３．５重量％に卵抽出溶液（１）９６．５重量％を加えた後、エーテル溶媒を揮発させて菌核の表面に卵認識物質を付着させる。
【００１０】
製造例２（ガラスビーズを基材にした擬似卵）：直径０．４ｍｍのガラスビーズ（相互理化学硝子製作所（株）製）１２．５重量％に製造例１に記載の卵抽出溶液（１）８７．５重量％を加えた後、エーテル溶媒を揮発させてガラスビーズの表面に卵認識物質を付着させる。
【００１１】
比較例（海砂を基材にした場合）：３０ｍｅｓｈの海砂（和光純薬（株）製）７．０重量％に製造例１に記載の卵抽出溶液（１）９３．０重量％を加えた後、エーテル溶媒を揮発させて海砂の表面に卵認識物質を付着させる。
【００１２】
試験例：直径９ｃｍのシャーレ上にシロアリの卵２０個と製造例１によって得た擬似卵２０個をランダムに撒き、これにシロアリの職蟻３０個体を入れて１５時間２５℃の恒温室内で静置した。職蟻はシャーレ上に散在した卵を集めて卵塊を形成した。１５時間後に卵塊を調べたところ、９０％以上の擬似卵が卵塊中に運搬されていた。同様の試験法で製造例２及び比較例によって得た擬似
卵の運搬率を調べたところ、製造例２の擬似卵は４０％以上運搬されたが、比較例の擬似卵は全く運搬されなかった。また、室内飼育するシロアリのコロニーが形成した蟻道中に製造例１によって得た擬似卵５０個を注入したところ、２４時間後には擬似卵の８０％以上が巣内の卵塊中に運搬された。
【００１３】
【発明の効果】
本発明により、害虫駆除の目的で人工物を効率的に害虫の巣内に運搬させることが可能になった。
【００１４】
【配列表】
0004151812.tif 000002
0004151812.tif 000003